(57)【要約】【課題】  上面板が高温になるのを防止できる温風暖房機を提供する。【解決手段】    バーナ部１２を内蔵する連結ケース１５と、該連結ケース１５と連通する熱交換器１６とを温風暖房機本体１内に設け、温風暖房機本体１の上面板７と連結ケース１５及び熱交換器１６との間に上部遮熱板１９を設け、上面板７の曲げ部分の先端と上部遮熱板１９との間に差し込み口２５を形成し、連結ケース押さえ材２１の一端を連結ケース１５に取り付けると共に他端を前記差し込み口２５に差し込んだので、連結ケース押さえ材２１の熱が上面板７に伝わらず、更に上面板７に力が掛かってもすぐに上面板７の曲げ部分の先端が連結ケース押さえ材２１の上面板当接部２３に当接して上面板７の変形を防止するものである。【選択図】  図４
2014102029.tif 000002
【特許請求の範囲】
【請求項１】
吹き出し口を設けた前パネルと底板と側面板と背面板と上面板とからなる温風暖房機本体と、燃料と燃焼用空気の供給を受けて燃焼するバーナ部と、該バーナ部を内蔵する連結ケースと、該連結ケースと連通する熱交換器とを前記温風暖房機本体内に備え、連結ケース及び熱交換器と上面板との間に上部遮熱板を設けた温風暖房機に於いて、前記上面板前部の曲げ部分の先端と上部遮熱板との間に差し込み口を形成し、連結ケース押さえ材の一端を連結ケースに取り付けると共に、他端が前記差し込み口に差し込まれていることを特徴とする温風暖房機。
【請求項２】
前記連結ケース押さえ材は、略Ｌ字状に形成された連結ケース取り付け部が一端に形成されていると共に、略コの字状に形成された上面板当接部が他端に形成され、前記連結ケース取り付け部はネジにより連結ケースに取り付けられ、上面板当接部はその先端の曲げ部分が、差し込み口を形成している上面板の曲げ部分の先端と所定の間隔を有して差し込み口に差し込まれていることを特徴とする請求項１記載の温風暖房機。
【発明の詳細な説明】
【技術分野】
【０００１】
この発明は、石油等の燃料の燃焼による排気ガスと室内空気とを熱交換して暖房を行う温風暖房機に関するものである。
【背景技術】
【０００２】
従来、この種のものにおいては、室外の空気を燃焼部に給気すると共に燃焼部に燃料を供給して燃焼させ、その燃焼ガスを燃焼部を有する燃焼筒を通過させて燃焼筒に接続されている熱交換器に供給した後、排気ガスとして室外に排気し、その熱交換器には対流ファンにより室内の空気を送気して、内部を通過する燃焼ガスにより高温となった熱交換器と送気された室内の空気とが熱交換されて、送気された室内の空気が温風となって室内の暖房を行うものがあった。（例えば、特許文献１）
【先行技術文献】
【特許文献】
【０００３】
【特許文献１】特開２００１−６５９９６号公報
【発明の概要】
【発明が解決しようとする課題】
【０００４】
ところでこの従来のものでは、燃焼筒と熱交換器１０１とを連結ケース１０２で連通されているが、連結ケース押さえ材１０３の一端を連結ケース１０２にネジ１０４にて固定し、他端をネジ１０５にて上面板１０６に固定することにより、上面板１０６の強度を向上させていたが、連結ケース１０２からの熱が連結ケース押さえ材１０３から上面板１０６に伝わって、上面板１０６の表面温度が上昇してしまうという問題があった。
【課題を解決するための手段】
【０００５】
上記課題を解決するために、本発明の請求項１では、吹き出し口を設けた前パネルと底板と側面板と背面板と上面板とからなる温風暖房機本体と、燃料と燃焼用空気の供給を受けて燃焼するバーナ部と、該バーナ部を内蔵する連結ケースと、該連結ケースと連通する熱交換器とを前記温風暖房機本体内に備え、連結ケース及び熱交換器と上面板との間に上部遮熱板を設けた温風暖房機に於いて、前記上面板前部の曲げ部分の先端と上部遮熱板との間に差し込み口を形成し、連結ケース押さえ材の一端を連結ケースに取り付けると共に他端が前記差し込み口に差し込まれているものである。
【０００６】
また、請求項２では、前記連結ケース押さえ材は、略Ｌ字状に形成された連結ケース取り付け部が一端に形成されていると共に、略コの字状に形成された上面板当接部が他端に形成され、前記連結ケース取り付け部はネジにより連結ケースに取り付けられ、上面板当接部はその先端の曲げ部分が、差し込み口を形成している上面板の曲げ部分の先端と所定の間隔を有して差し込み口に差し込まれているものである。
【発明の効果】
【０００７】
この発明の請求項１によれば、上面板の曲げ部分の先端と上部遮熱板との間に差し込み口を形成すると共に、連結ケース押さえ材の一端を連結ケースに取り付けると共に他端が前記差し込み口に差し込まれているので、連結ケースの熱が伝わって高温となった連結ケース押さえ材の熱が上面板に伝わらず、更に上面板に力が掛かってもすぐに上面板の曲げ部分の先端が連結ケース押さえ材に当接して上面板の変形を防止できるものである。
【０００８】
また、請求項２によれば、連結ケース押さえ材は、略Ｌ字状に形成された連結ケース取り付け部が一端に形成されていると共に、略コの字状に形成された上面板当接部が他端に形成され、前記連結ケース取り付け部はネジにより連結ケースに取り付けられ、上面板当接部はその先端の曲げ部分が差し込み口を形成している上面板の曲げ部分の先端と所定の間隔を有して差し込み口に差し込まれているので、連結ケースの熱が伝わって高温となった連結ケース押さえ材の熱が連結ケース押さえ材他端の上面板当接部が上面板と接していないことで熱が伝わらず、上面板の温度が上昇するのを防止できると共に、上面板の前部分に力が掛かった場合、上面板がその力によりたわむとすぐに上面板の曲げ部分の先端が連結ケース押さえ材の上面板当接部に接触してそれ以上上面板はたわまなくなり、上面板に掛かっていた力がなくなると上面板は元の状態に戻るもので、上面板の変形を防止できるものである。
【図面の簡単な説明】
【０００９】
【図１】この発明の一実施形態を示す温風暖房機の正面斜視図。
【図２】同側面図。
【図３】同前パネルを外した状態の正面斜視図。
【図４】同要部断面図。
【図５】従来の温風暖房機の要部断面図。
【発明を実施するための形態】
【００１０】
次にこの発明に係る温風暖房機を図面に示す一実施例で説明する。
１は温風暖房機本体で、前面略中央に温風を吹き出す吹き出し口２を設けた前パネル３と、底板４と、左右の側面板５と、背面板６と、上面板７とからなり、又前面上部に運転スイッチ８や温度設定スイッチ等の複数のボタンと温度や時間を表示する表示部９とが一体となった操作・表示ユニット１０が設けられ、又背面には屋外の空気を温風暖房機に給気するための給気部と温風暖房機の排気ガスを屋外に排気するための排気部とからなる給排気部１１が接続されているものである。
【００１１】
１２はポット式のバーナ部で、燃料供給手段１３である燃料ポンプから送られてきた灯油と燃焼用送風機１４から送られてくる燃焼用空気とにより燃焼を行うものである。
【００１２】
１５は連結ケースで、内部下方にバーナ部１２を備えると共に、上部側面には熱交換器１６が接続され、バーナ部１２で発生した燃焼ガスは連結ケース１５内を上昇して熱交換器１６に流入し、熱交換器１６を通過した燃焼ガスは排気ガスとして給排気部１１から外気に排気されるものである。
【００１３】
１７は遮熱板で、略コの字状の側背面遮熱板１８と、該側背面遮熱板１８の上部を覆う上部遮熱板１９と、側背面遮熱板１８の正面上方を覆う正面上部遮熱板２０とからなり、その内部に燃焼用送風機１４と、バーナ部１２を有する連結ケース１５と、熱交換器１６とを備え、前記側背面遮熱板１８の背面部分には、温風暖房機本体１の背面板６に取り付けられた対流ファン（図示せず）からの送風空気が通過するように送風用口（図示せず）が形成されているものである。
【００１４】
２１は連結ケース押さえ材で、略Ｌ字状に形成された連結ケース取り付け部２２が一端に形成されていると共に、略コの字状に形成された上面板当接部２３が他端に形成され、連結ケース取り付け部２２はネジ２４により連結ケース１５に取り付けられ、上面板当接部２３はその先端の曲げ部分が上部遮熱板１９とその上部に位置する上面板７の曲げ部分の先端との間に形成された差し込み口２５に差し込まれているものである。
【００１５】
次に本発明一実施例の動作について説明する。
まず運転スイッチ８をオン操作すると、バーナ部１２がヒータ（図示せず）により加熱され、バーナ部１２の温度が所定の温度に上昇したら、バーナ部１２に燃料供給手段１３から灯油が供給されると共に、燃焼用送風機１４か燃焼用空気が供給され、バーナ部１２内で生成された予混合ガスを点火手段により点火して燃焼を開始する。（図示せず）
【００１６】
バーナ部１２で発生した燃焼ガスは、連結ケース１５内を上昇して熱交換器１６に流入し、熱交換器１６を通過した燃焼ガスは排気ガスとして給排気部１１から外気に排気され、又、温風暖房機本体１の背面板６に取り付けられた対流ファンが駆動を開始するので、対流ファンにより温風暖房機本体１内に供給された送風空気は、燃焼ガスにより加熱された連結ケース１５や熱交換器１６と熱交換して加熱され、温風となって吹き出し口２から吹き出すものである。
【００１７】
それによりネジ２４により連結ケース取り付け部２２が連結ケース１５の上部に取り付けられている連結ケース押さえ材２１に連結ケース１５から熱が伝わり、連結ケース押さえ材２１も温度が上昇するが、連結ケース押さえ材２１の他端の上面板当接部２３は上面板７と接していないため、連結ケース押さえ材２１の熱は上面板７に伝わらず、上面板７の温度が上昇するのを防止できるものである。
【００１８】
又、上面板７の前部分を手で押すなどの力が掛かった場合、上面板７がその力によりたわむとすぐに上面板７の曲げ部分の先端が連結ケース押さえ材２１の上面板当接部２３に接触してそれ以上上面板７はたわまなくなり、上面板７に掛かっていた力がなくなると上面板７は元の状態に戻るもので、それにより上面板７の変形を防止できるものである。
【００１９】
尚、本実施例では、連結ケース押さえ材２１の上面板当接部２３と上面板７の曲げ部分の先端との間隔は２ｍｍになっており、その間隔により連結ケース押さえ材２１の熱が上面板７に伝わらず、更に上面板７に力が掛かってもすぐに上面板７の曲げ部分の先端が連結ケース押さえ材２１の上面板当接部２３に当接して上面板７の変形を防止するものである。
【符号の説明】
【００２０】
１  温風暖房機本体
２  吹き出し口
３  前パネル
４  底板
５  側面板
６  背面板
７  上面板
１２  バーナ部
１５  連結ケース
１６  熱交換器
１９  上部遮熱板
２１  連結ケース押さえ材
２５  差し込み口
【図１】
2014102029.tif 000003
【図２】
2014102029.tif 000004
【図３】
2014102029.tif 000005
【図４】
2014102029.tif 000006
【図５】
2014102029.tif 000007